(57)【要約】【課題】パチンコ機に搭載された電気部品の全部における相互接続の容易化を図る。【解決手段】球案内構造体４８および盤側可撓性配線５８が遊技盤４５の裏面に取り付けられ、遊技盤４５が遊技機枠１の盤収納室１８に装着されると、盤側可撓性配線５８の電極５９が背壁１９の前面に突出した枠側コネクタ２２に接続され、遊技盤４５に搭載された電気部品と遊技機枠１に搭載された電気部品とが、盤側可撓性配線５８と枠側コネクタ２２を実装した可動枠３の裏面に取り付けられた枠側可撓性配線とで接続される。【選択図】図１
2006149809.tif 000002
【特許請求の範囲】
【請求項１】
遊技盤が遊技機枠の盤収納室に装着されることによって、盤側可撓性配線の電極が盤収納室の背壁の前面に突出した枠側コネクタに接続され、遊技盤に搭載された電気部品と遊技機枠に搭載された電気部品とが盤側可撓性配線と枠側コネクタを実装した可動枠の枠側可撓性配線とで接続されたことを特徴とするパチンコ機。
【請求項２】
可動枠の裏面に設けられた球払出中継基板と盤側可撓性配線および枠側可撓性配線と接続するハーネスが可動枠の上縁部に形成された配線通路に収納されたことを特徴とする請求項１記載のパチンコ機。
【発明の詳細な説明】
【技術分野】
【０００１】
本発明は、パチンコ機に搭載された電気部品の全部の相互接続が容易なパチンコ機に関する。
【背景技術】
【０００２】
パチンコ機は、パチンコ店の島と呼ばれる遊技機設置構造体に取り付けられる遊技機枠に、球の飛び交う遊技領域および入賞部品や演出部品の設けられた遊技盤を、交換可能に取り付ける一方、遊技機枠がタンク、球払出装置、発射機構、電源装置、払出制御装置、発射制御装置などの電気部品を備え、遊技盤が主制御装置、図柄制御装置、表示灯制御装置、音制御装置などの裏機構を備えた構造である。そして、遊技盤では、主制御装置、図柄制御装置、表示灯制御装置、音制御装置などの電気部品を相互に接続するために、フレキシブル配線板と呼ばれる可撓性配線が遊技盤の裏面に設けられている。しかしながら、遊技盤を遊技機枠に取り付けた後、遊技盤の可撓性配線に設けられた複数のコネクタと遊技機枠における複数の電気部品のそれぞれに設けられた複数のコネクタとを手作業で個別に接続しなければならないという欠点がある。
【特許文献１】実開平７−１５０８４号公報
【発明の開示】
【発明が解決しようとする課題】
【０００３】
発明が解決しようとする問題点は、遊技盤の可撓性配線と遊技機枠の電気部品とを相互に接続する作業が面倒であるという点である。
【課題を解決するための手段】
【０００４】
本発明のパチンコ機は、遊技盤が遊技機枠の盤収納室に装着されることによって、盤側可撓性配線の電極が盤収納室の背壁の前面に突出した枠側コネクタに接続され、遊技盤に搭載された電気部品と遊技機枠に搭載された電気部品とが盤側可撓性配線と枠側コネクタを実装した可動枠の枠側可撓性配線とで接続されたことを最も主要な特徴とする。本発明のパチンコ機は、可動枠の裏面に設けられた球払出中継基板と盤側可撓性配線および枠側可撓性配線とを接続するハーネスが可動枠の上縁部に形成された配線通路に収納されてもよい。
【発明の効果】
【０００５】
本発明のパチンコ機は、遊技盤が遊技機枠の盤収納室に装着されることによって、盤側可撓性配線の電極が盤収納室の背壁の前面に突出した枠側コネクタに接続され、遊技盤に搭載された電気部品と遊技機枠に搭載された電気部品とが盤側可撓性配線と枠側コネクタを実装した可動枠の枠側可撓性配線とで接続されるので、パチンコ機を裏側から見た場合、個々ばらばらの多数本の配線が入り乱れていることなく、整然とした配置となるという利点がある。可動枠の裏面に設けられた球払出中継基板と盤側可撓性配線および枠側可撓性配線と接続するハーネスが可動枠の上縁部に形成された配線通路に収納されれば、可動枠が固定枠の前側で開閉される場合、ハーネスが固定枠と可動枠との間に挟まることがないという利点がある。
【発明を実施するための最良の形態】
【０００６】
図１乃至図９は、発明を実施するための最良の形態である。図１は、遊技機枠１と遊技盤４５とを分解して示す。図２は、盤側可撓性配線５８を示す。図３は、可動枠３とカバー構造体１００とを分解して示す。図４は、枠側可撓性配線９８を示す。図５は、枠側可撓性配線９８の取り付けられた可動枠３の裏面を示す。図６は、カバー構造体１００の閉じられた可動枠３の裏面を示す。図７は、電源装置９５と発射払出制御装置９６と枠側可撓性配線９８との接続を模式的に示す。図８は、球払出中継基板１１０の接続を模式的に示す。図９は、遊技機枠１に遊技盤４５を取り付けたパチンコ機の裏面を示す。この明細書において、「前」、「後」、「裏」、「左」、「右」、「上」、「下」の方向は、図１の状態に遊技機枠１および遊技盤４５を置き、遊技機枠１および遊技盤４５を矢印Ａで示す前側から見た場合に特定される方向である。「後」と「裏」とは同じ方向である。
【０００７】
図１を参照し、遊技機枠１の前側の構造および遊技盤４５の裏側の構造について説明する。遊技機枠１は、固定枠２の前側に可動枠３を左側のヒンジ４で横方向に片開き可能に取り付け、可動枠３の前側にパネル枠５および球皿構造体６を左側のヒンジ７で横方向に片開き可能に取り付けた、構造である。固定枠２は、遊技店の島と呼ばれる図外の遊技機設置構造体に取り付けられる外枠とも呼ばれ、前後方向に貫通した縦長な長方形の空間を囲む額縁形状である。可動枠３は、遊技盤４５を取り付ける前枠とも呼ばれ、前後方向に貫通した縦長な長方形の空間を囲む額縁形状の可動枠本体８から盤収納構造体９を内部に延設する。可動枠本体８には、施錠装置１０と複数のロック機構１１；１２；１３およびロック解除操作体１４が右側の縦片部に設けられ、扉開放スイッチ１５および球抜スイッチ１６が上片部の右側に前面に設けられる。盤収納構造体９は、遊技盤４５を装着する前側に開口した盤収納室１８の背壁１９に前後方向に貫通する中央開口部２０を備える。背壁１９には、枠側ヒンジ２１と枠側コネクタ２２およびパネル枠コネクタ２３が左側部に設けられ、盤ロック構造体２４が右側部に設けられる。枠側ヒンジ２１は、遊技盤４５を取り付けるものであって、背壁１９に固定的に設けられたヒンジ躯体の前側に折り曲げられた支持部から上方に突出したヒンジピンを備える。
【０００８】
枠側コネクタ２２は、遊技盤４５の裏面に設けられた盤側可撓性配線５８の電極５９を接続するものであって、コネクタピンと呼ばれる電気接続端子が背壁１９の裏側から背壁１９に前後方向への貫通孔として設けられたコネクタ孔を経由して背壁１９の前側に突出し、電気接続端子を支持する合成樹脂からなるコネクタボディが背壁１９の裏面にタッピングスクリューのような止ねじで背壁１９の裏側から固定される。パネル枠コネクタ２３は、パネル枠５に搭載された表示灯やスピーカなどの電気部品を接続するものであって、コネクタピンと呼ばれる電気接続端子が背壁１９の裏側から背壁１９に前後方向への貫通孔として設けられたコネクタ孔を経由して背壁１９の前側に突出し、電気接続端子を支持する合成樹脂からなるコネクタボディが背壁１９の裏面にタッピングスクリューのような止ねじで背壁１９の裏側から固定される。盤ロック構造体２４は、背壁１９から前側に突出する円筒状の台座の中心にロック操作部２５を回転可能に備える。ロック操作部２５は、台座から前側に突出した操作軸の端部に固定された横長な形態である。盤収納室１８の下縁部は、遊技盤４５を搭載する左右方向に平坦な面としての盤棚２６を形成する。盤棚２６から下方に延設された盤収納構造体９における前壁２７には、皿コネクタ２８、球発射機構２９、球発射レール３０、ファール球取入口３１、払出球中継樋３２が前面に設けられ、機外排出樋３３が裏面に設けられる。皿コネクタ２８は、球皿構造体６に搭載された発射操作機構３８や球送出機構４１における電気部品や表示灯を接続するものであって、コネクタピンと呼ばれる電気接続端子が前壁２７の裏側から前壁２７に前後方向への貫通孔として設けられたコネクタ孔を経由して前壁２７の前側に突出し、電気接続端子を支持する合成樹脂からなるコネクタボディが前壁２７の裏面に固定される。
【０００９】
球発射レール３０は、球皿構造体６の球供給口４０から供給された１個の球を受け取る。球発射機構２９は、電力供給と遮断とを交互に受けることによって、球皿部３７から球発射レール３０に供給された球を遊技盤４５の遊技領域に向けて１個ずつ発射する。球発射レール３０は、球発射機構２９から発射された球を、遊技盤４５における発射通路の入口に誘導する。払出球中継樋３２は、可動枠３の裏側に設けられた図３に示す球払出装置９７から払い出された球を球皿構造体６の球取入口３９に排出する。機外排出樋３３は、遊技盤４５の裏側から排出された球を受け取って遊技機設置構造体における捕球機構に排出する。パネル枠５は、前後方向に貫通する窓３４を囲む額縁形状である。パネル枠５には、前面パネル３５が窓３４を覆う格好で裏面に取り付けられ、球抜操作孔３６が右上隅部に前後方向への貫通孔として設けられる。パネル枠５が閉じられた場合、パネル枠５の球抜操作孔３６と球抜スイッチ１６とが互いに向かい合い、遊技店の店員が棒状の球抜操作体をパネル枠５の前側から球抜操作孔３６に挿入し、球抜スイッチ１６を操作する。前面パネル３５は、光を透過する性質の有るガラスまたは合成樹脂などの材料からなる板状である。球皿構造体６は、球皿部３７および発射操作機構３８を前面に備え、球取入口３９と球供給口４０および球送出機構４１を裏面に備える。球皿部３７は、遊技に使用する球を受ける上方に開口した上方から下方に窪む容器である。発射操作機構３８は、遊技者が球を発射するために操作するものである。球取入口３９は、払出球中継樋３２から排出された球を球皿部３７に供給する部分である。球供給口４０は、球皿部３７から発射レール３０に球を供給する部分である。球送出機構４１は、球皿部３７の球を球供給口４０から球発射レール３０に１個ずつ送り出す。
【００１０】
遊技機枠１において、可動枠３やパネル枠５および球皿構造体６が閉じられてロック機構１１；１２；１３で開閉不能に支持された場合、遊技店の店員が図外のキープレート（鍵）を遊技機枠１の前側から施錠装置１０の鍵穴４２に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を中心として前側に片開きされる。また、上記施錠装置１０の鍵穴４２に挿入されたキープレートが例えば左側に９０度回転操作されると、可動枠３とパネル枠５とのロック機構１２による支持形態が解除される。この支持形態の解除後に、店員がパネル枠５を前側に引くことによって、パネル枠５はヒンジ７を中心として前側に片開きされる。このように、パネル枠５が前側に開かれた状態において、店員がロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を中心として前側に片開きされる。
【００１１】
遊技盤４５は、ロック取付部４６を右側部に備え、盤側ヒンジ４７を左側部に備え、球案内構造体４８を裏面に備える。ロック取付部４６には、ロック挿入孔４９が前後方向への貫通孔として設けられる。盤側ヒンジ４７は、遊技盤４５を可動枠３に取り付けるものであって、遊技盤４５の左側部に固定的に取り付けられたヒンジ躯体の前側に折り曲げられた支持部に上下方向に貫通したヒンジ孔を備える。そして、遊技盤４５の前面が前側に向けられ、遊技盤４５の右側部が遊技機枠１の前側から盤収納室１８に挿入され、盤側ヒンジ４７のヒンジ孔が枠側ヒンジ２１のヒンジピンに上方から挿入されると、遊技盤４５が遊技機枠１に盤側ヒンジ４７と枠側ヒンジ２１とを中心として横方向に回転可能に取り付けられる。その後、遊技盤４５が遊技機枠１の方に押されると、盤ロック構造体２４のロック操作部２５がロック取付部４６のロック挿入孔４９に後側から挿入されて前側に突出する。その状態において、作業者がロック操作部２５を例えば左方向に９０度回転操作すると、ロック操作部２５がロック挿入孔４９の周りにおけるロック取付部４６の前面に係合し、遊技盤４５が盤収納室１８に取り付けられる。遊技盤４５が取り付けられた後、パネル枠５が閉じられることによって、パチンコ機が構成される。このように構成されたパチンコ機は、遊技盤４５が遊技機枠１の内部に格納され、遊技盤４５の前側がパネル枠５で覆われ、遊技盤４５の遊技領域が遊技機枠１の前側から前面パネル３５を通して視認し得る形態である。
【００１２】
球案内構造体４８は、セット板とも呼ばれ、遊技盤４５の前面のガイドレールで囲まれた内側の遊技領域から入賞部品やアウト口に取り込まれて遊技盤４５の裏側に排出された球を、下方に誘導して排出する。遊技盤４５の裏側には、遊技盤４５の前面に設けられた遊技部品の裏機構が、遊技盤４５に形成された図外の逃孔や球案内構造体４８に形成された逃孔５０を経由して突出する。遊技盤４５の裏側に突出した裏機構を有する遊技部品は、複数の図柄表示器５１；５２、演出部品５３、可変入賞部品５４、可変入賞部品５４以外の図外の複数の入賞部品、図外のサイドランプなどである。図柄表示器５１は、遊技領域の中央に設けられ、液晶表示器、ＣＲＴ表示器、プラズマディスプレイなどのような電気的に表示形態を変えられる画像を表示画面に表示する画像表示器により形成され、裏機構として図柄制御装置５５を備える。図柄表示器５２は、遊技領域の右側下部に設けられ、複数の図柄の印刷された図柄表示体をステップモータで回転する構造であって、裏機構としてステップモータを備える。球案内構造体４８の裏面には、主制御装置５６と複合制御装置５７および盤側可撓性配線５８が設けられる。
【００１３】
盤側可撓性配線５８は、遊技盤４５に設けられた電気部品と遊技機枠１に設けられた電気部品とを接続する多数本の箔形状の電線および箔形状の電極５９が、可撓性を有する合成樹脂基板の表面に付設された構造である。電極５９は、枠側コネクタ２２の電気接続端子と対応する個数のラウンドと呼ばれるものであって、各電極５９からは上記箔形状の電線が個別に延設される。盤側可撓性配線５８における電線の表面は、レジスト膜のような電気絶縁材で被覆され、人の接触から保護される。そして、前述したように、遊技盤４５が遊技機枠１に盤側ヒンジ４７と枠側ヒンジ２１とロック取付部４６と盤ロック構造体２４とで取り付けられることによって、電極５９と枠側コネクタ２２の電気接続端子とが互いに接続する。盤側可撓性配線５８は、縦片部６０と、縦片部６０の上部から右側に延設した上横片部６１と、縦片部６０の下部から右側に延設した下横片部６２と、縦片部６０の上下方向の中間部から右側に延設した中横片部６３と、上横片部６１から下方に延長した延設片部６４と、下横片部６２から下方に延長した延設片部６５；６６と、縦片部６０から左側に延設した接続片部６７とを備える。
【００１４】
縦片部６０は、球案内構造体４８の逃孔５０より左側に位置する部分の裏面と対応する。縦片部６０の下部には、複合制御装置５７が接続される。複合制御装置５７は、制御に必要な電気部品の実装された回路基板を１つの制御装置筐体の内部に装着した構造である。複合制御装置５７は、回路基板の電気部品を実装した板面が、遊技盤４５の裏面と直交する格好で、かつ、制御装置筐体の厚さが遊技盤４５の左右方向となる格好で、遊技盤４５の裏面に対して取り付けられる。上横片部６１は、球案内構造体４８の逃孔５０より上側に位置する部分の裏面と対応する。上横片部６１には、主制御装置５６が接続される。主制御装置５６は、制御に必要な電気部品の実装された回路基板を１つの制御装置筐体の内部に装着した構造である。主制御装置５６は、回路基板の電気部品を実装した板面が、遊技盤４５の裏面と直交する格好で、かつ、制御装置筐体の厚さが遊技盤４５の上下方向となる格好で、遊技盤４５の裏面に対して取り付けられる。延設片部６４には、演出部品５３の駆動源が接続される。下横片部６２は、球案内構造体４８の逃孔５０より下側に位置する部分の裏面と対応する。下横片部６２の右端部には、図柄表示器５２の駆動源が接続される。下横片部６２の中間部には、可変入賞部品５４の真上に配置される始動入賞部品の駆動源および球検出器が接続される。延設片部６５には、可変入賞部品５４の駆動源および球検出器が接続される。延設片部６６には、一般入賞部品の球検出器が接続される。中横片部６３には、図柄制御装置５５が接続される。接続片部６７には、電極５９が互いに離れた形態で設けられる。
【００１５】
図２を参照し、盤側可撓性配線５８の構造について説明する。盤側可撓性配線５８には、複数の補強板７１；７２；７３；７４；７５；７６；７７と、複数のコネクタ８１；８２；８３；８４；８５；８６；８７；８８；８９とが設けられる。補強板７１は、縦片部６０と上横片部６１と下横片部６２とを覆う合成樹脂からなる板状であって、縦片部６０と上横片部６１と下横片部６２とを裏側から波打たないように支持するように、縦片部６０の裏面と上横片部６１の裏面および下横片部６２との裏面および縦片部６０の裏面に裏打ちするように取り付けられる。補強板７２は、下横片部６２の右端部を覆う合成樹脂からなる板状であって、下横片部６２の右端部を裏側から波打たないように支持するように、下横片部６２の右端部の裏面に裏打ちするように取り付けられる。補強板７３は、中横片部６３の端部を覆う合成樹脂からなる板状であって、中横片部６３の端部を裏側から波打たないように支持するように、中横片部６３の端部の裏面に裏打ちするように取り付けられる。補強板７４は、延設片部６４の端部を覆う合成樹脂からなる板状であって、延設片部６４の端部を裏側から波打たないように支持するように、延設片部６４の端部の裏面に裏打ちするように取り付けられる。補強板７５は、延設片部６５の端部を覆う合成樹脂からなる板状であって、延設片部６５の端部を裏側から波打たないように支持するように、延設片部６５の端部の裏面に裏打ちするように取り付けられる。補強板７６は、延設片部６６の端部を覆う合成樹脂からなる板状であって、延設片部６６の端部を前側から波打たないように支持するように、延設片部６５の端部の前面に裏打ちするように取り付けられる。補強板７７は、接続片部６７を覆う合成樹脂からなる板状であって、接続片部６７を前側から波打たないように支持するように、接続片部７７の前面に裏打ちするように取り付けられる。接続片部７７の裏面には、電極５９が接続片部６７における可撓性を有する合成樹脂基板の裏面に露出して設けられる。
【００１６】
コネクタは８１、図１の主制御装置５６を接続するものである。コネクタ８２は、遊技店における営業を管理する図外のホールコンピュータを接続するものである。コネクタ８３は、図１の複合制御装置５７を接続するものである。コネクタ８１のコネクタピンと呼ばれる電気接続端子が、補強板７１を裏側から前側に貫通して上横片部６１における上記箔形状の電線に接続される。コネクタ８２；８３のコネクタピンと呼ばれる電気接続端子が、補強板７１を裏側から前側に貫通して縦片部６０における上記箔形状の電線に個別に接続される。コネクタ８１乃至８３の電気接続端子を支持する合成樹脂からなるコネクタボディが補強板７１の裏面に接触して固定される。コネクタ８４は、始動入賞部品を接続するものである。コネクタ８５は、図１の図柄表示器５２を接続するものである。コネクタ８４；８５のコネクタピンと呼ばれる電気接続端子が、下横片部６２の前側から下横片部６２における上記箔形状の電線に個別に接続される。コネクタ８４；８５の電気接続端子を支持する合成樹脂からなるコネクタボディが下横片部６２の前面に接触して個別に固定される。
【００１７】
コネクタ８６は、図１の図柄制御装置５５を接続するものである。コネクタ８６のコネクタピンと呼ばれる電気接続端子が、中横片部６３の前側から中横片部６３における上記箔形状の電線に接続される。コネクタ８５の電気接続端子を支持する合成樹脂からなるコネクタボディが中横片部６３の前面に接触して固定される。コネクタ８７は、図１の演出部品５３を接続するものである。コネクタ８７のコネクタピンと呼ばれる電気接続端子が、延設片部６４の前側から延設片部６４における上記箔形状の電線に接続される。コネクタ８７の電気接続端子を支持する合成樹脂からなるコネクタボディが延設片部６４の前面に接触して固定される。コネクタ８８は、図１の可変入賞部品５４を接続するものである。コネクタ８８のコネクタピンと呼ばれる電気接続端子が、延設片部６５の前側から延設片部６５における上記箔形状の電線に接続される。コネクタ８８の電気接続端子を支持する合成樹脂からなるコネクタボディが延設片部６５の前面に接触して固定される。コネクタ８９は、図外の一般入賞部品を接続するものである。コネクタ８９のコネクタピンと呼ばれる電気接続端子が、補強板７６を前側から後側に貫通して延設片部６６における上記箔形状の電線に接続される。コネクタ８９の電気接続端子を支持する合成樹脂からなるコネクタボディが補強板７６の前面に接触して固定される。補強板７１乃至７７には、盤側可撓性配線５８を図１の球案内構造体４８の裏面に取り付けるためのタッピングスクリューのような図外の止ねじのねじ部を挿入する取付孔９０が設けられる。当該止ねじのねじ部と接触しないように止ねじのねじ部を逃げるための逃部９１が、盤側可撓性配線５８に、取付孔を囲む切除部として設けられる。図２において、逃部９１は、接続片部６７に形成されたものだけを図示し、縦片部６０と上横片部６１および下横片部６２に形成されたものの図示を省略してある。
【００１８】
図３を参照し、遊技機枠１の裏側の構造について説明する。遊技機枠１の裏面には、電源装置９５、発射払出制御装置９６、球払出装置９７、枠側可撓性配線９８、配線通路９９、カバー構造体１００が設けられる。電源装置９５は、盤棚２６より下方に延設された前壁２７の裏面に、右側に位置して取り付けられる。発射払出制御装置９６は、前壁２７の裏面に、左側に位置して取り付けられる。球払出装置９７は、タンク構造体１０１、球貯蔵室１０２、基板収納室１０３、球払出機構１０４、払出球検出部１０５、払出球樋１０６、球切れ検出機構１０７、抜球樋１０８、通路切替機構１０９を備える。タンク構造体１０１は、盤収納構造体９の上縁部の上面に、右側に位置して設置される。球貯蔵室１０２は、遊技機設置構造体における補給機構から供給される球を受ける上方に開口した上方から下方に窪む容器であって、タンク構造体１０１に設けられる。基板収納室１０３は、球払出中継基板１１０を設置する上方に開口した上方から下方に窪む容器であって、タンク構造体１０１に設けられる。球貯蔵室１０２が基板収納室１０３の後側に位置し、基板収納室１０３が球貯蔵室１０２の前側に位置する。そして、パチンコ球と呼ばれる球が、遊技機設置構造体における補給機構から球貯蔵室１０２に供給された状態において、タンク構造体１０１の外側に設置された球払出機構１０４の払出駆動源たるステップモータのような球払出モータが球貯蔵室１０２の底部に設置された螺旋状の球払出体を一方向に回転するのに伴い、球払出体が球貯蔵室１０２の球を１個ずつ分離しつつ球貯蔵室１０２における底部の貫通孔から払出球検出部１０５に送り出し、払出球検出部１０５の払出球検出器が球を電気的に検出するごとに払出球検出信号を主制御装置５６および発射払出制御装置９６に出力する。払出球検出部１０５を通過した球は、払出球樋１０６を経由して払出球中継樋３２に排出される。
【００１９】
球貯蔵室１０２に存在する球が球切れ検出機構１０７に作用しなくなるように球貯蔵室１０２における底部の貫通孔の側に少なくなると、球切れ検出機構１０７の球切れ検出器が球切れ検出信号を主制御装置５６に出力する。抜球樋１０８は、払出球樋１０６から分岐し、払出球樋１０６の右側に併設される。一斉球抜スイッチ１６が店員によって操作されると、主制御装置５６が通路切替機構１０９の駆動源としての電磁ソレノイドおよび球払出機構１０４のステップモータを電力で駆動し、電磁ソレノイドが通路切替機構１０９の通路切替弁を動作し、通路切替弁が払出球検出部１０５から払出球樋１０６への通路を遮断し、払出球検出部１０５から抜球樋１０８への通路を開放することによって、球貯蔵室１０２から球が払出球検出部１０５を通過して抜球樋１０８に排出される。抜球樋１０８に排出された球は、抜球樋１０８から機外排出樋３３を経由して遊技機設置構造体の捕球機構に排出される。上記主制御装置５６による電磁ソレノイドの電力駆動は、球貯蔵室１０２を満杯としている球の全部が球貯蔵室１０２から抜球樋１０８に排出される時間後に停止する。この電磁ソレノイドの電力駆動が停止すると、通路切替弁が電磁ソレノイドに設けられたばねのばね力によって払出球検出部１０５から抜球樋１０８への通路を遮断し、払出球検出部１０５から払出球樋１０６への通路を開放する。
【００２０】
枠側可撓性配線９８は、遊技盤４５に設けられた電気部品と遊技機枠１に設けられた電気部品とを接続する多数本の箔形状の電線が、可撓性を有する合成樹脂基板の表面に付設された構造である。枠側可撓性配線９８における電線の表面は、レジスト膜のような電気絶縁材で被覆され、人の接触から保護される。枠側可撓性配線９８には、電源コネクタ１１２、払出コネクタ１１３、外部情報コネクタ１１４、複数の枠側コネクタ２２が、上から下に順に列となるように、上下方向に縦列配置される。枠側可撓性配線９８の詳細な構造は、図４で説明する。配線通路９９は、盤収納構造体９の上縁部に上縁部の裏面から内部に窪む左右方向に長い溝である。配線通路９９には、ハーネス１１５が、盤収納構造体９の裏側から収納される。ハーネス１１５は、球払出中継基板１１０と払出コネクタ１１３とを接続する帯状の可撓性の有る電線である。
【００２１】
カバー構造体１００は、電源コネクタ１１２と払出コネクタ１１３と外部情報コネクタ１１４および複数の枠側コネクタ２２を覆うものであって、カバー基板１１６の上縁部と下縁部および左縁部から前側に上壁１１７と下壁１１８および左壁１１９を突出する。上壁１１７の左部からは、上カバーヒンジアーム１２０が前側に直線的に延設される。上カバーヒンジアーム１２０の前端部には、ヒンジ部１２１が、上下に貫通するヒンジ孔として形成される。下壁１１８の左部からは、下カバーヒンジアーム１２２が前側に直線的に延設される。下カバーヒンジアーム１２２の前端部には、ヒンジ部１２３が、上下に貫通するヒンジ孔として形成される。
【００２２】
カバー基板１１６には、外部情報コネクタ１１４を逃げる逃孔１２４、カバー構造体１００を盤収納構造体９に係合・解除する係合部１２５が設けられる。逃孔１２４は、カバー基板１１６の右側および前後方向に開口している。係合部１２５は、カバー基板１１６の上下方向中央部において、カバー基板１１６の右側部から後側に湾曲した後に前側に突出した弧状であって、係合部１２５の前端部に右側に突出するフック１２６を備える。係合部１２５がカバー基板１１６から片持ち梁のように延設され、カバー基板１１６における係合部１２５の周囲には係合部１２５を逃げるためにカバー基板１１６を切除した逃部１２７が形成される。カバー基板１１６には、電源配線を通すための配線孔１２８が設けられる。配線孔１２８は、カバー基板１１６の右側および前後方向に開口している。盤収納構造体９の上左部からはカバー構造体１００を取り付けるための上枠ヒンジ１３０が後方に直線的に延設される。上枠ヒンジ１３０の後端部には、ヒンジ部１３１が、上枠ヒンジ１３０から下方に突出するヒンジピンとして形成される。盤収納構造体９の下部には、発射払出制御装置９６の取付台１３２が取り付けられる。取付台１３２には、カバー構造体１００を取り付けるための下枠ヒンジ１３３が、取付台１３２の上部から上方に突出するヒンジピンとして形成される。盤収納構造体９の裏面には、金属製の補強板１３４が固定される。補強板１３４の後端部からはフランジ１３５が左側に突出する。
【００２３】
カバー構造体１００は、盤収納構造体９に、次のように取り付けられる。電源コネクタ１１２と払出コネクタ１１３と外部情報コネクタ１１４および複数の枠側コネクタ２２の実装された枠側可撓性配線９８や取付台１３２および補強板１３４が盤収納構造体９の裏面に取り付けられた状態において、カバー基板１１６の前面が盤収納構造体９の方に向けられ、カバー構造体１００のヒンジ部１２１が盤収納構造体９のヒンジ部１３１に下から嵌め込まれ、カバー構造体１００のヒンジ部１２３が取付台１３２の下枠ヒンジ１３３に上から嵌め込まれる。これによって、下カバーヒンジアーム１２２が取付台１３２の上に搭載され、カバー構造体１００が、上カバーヒンジアーム１２０と上枠ヒンジ１３０との嵌め合い部分と、下カバーヒンジアーム１２２と下枠ヒンジ１３３との嵌め合い部分とを中心として、前側から後側に開けられたり、後側から前側に閉じられたりするように、開閉可能となって、盤収納構造体９に取り付けられる。盤収納構造体９に取り付けられたカバー構造体１００が後側から前側に閉じられ、係合部１２５のフック１２６が補強板１３４のフランジ１３５を後側から前側に越え、カバー基板１１６の右側部が補強板１３４のフランジ１３５の裏面に接触し、フック１２６がフランジ１３５の前面に係合し、カバー構造体１００が図６に示すように盤収納構造体９に開閉しないように固定される。
【００２４】
図６に示すように、カバー構造体１００が盤収納構造体９に開閉しないように固定されることによって、電源コネクタ１１２と払出コネクタ１１３と外部情報コネクタ１１４と複数の枠側コネクタ２２および枠側可撓性配線９８が、補強板１３４とカバー構造体１００とによって形成された閉鎖空間に取り込まれ、カバー構造体１００で覆い隠される。よって、球がカバー構造体１００の上方からカバー構造体１００に落下した場合、当該落下した球は、カバー構造体１００に衝突し、電源コネクタ１１２と払出コネクタ１１３と外部情報コネクタ１１４と複数の枠側コネクタ２２および枠側可撓性配線９８に衝突することがないので、電源コネクタ１１２と払出コネクタ１１３と外部情報コネクタ１１４と複数の枠側コネクタ２２および枠側可撓性配線９８における電気的な接続を適切に維持することができるという利点がある。逃孔１２４がカバー基板１１６に形成されているので、カバー構造体１００が盤収納構造体９に開閉しないように固定された場合、外部情報コネクタ１１４にホールコンピュータの配線を適切に接続することができるという利点がある。配線孔１２８がカバー基板１１６に形成されているので、カバー構造体１００が盤収納構造体９に開閉しないように固定された場合、電源コネクタ１１２に電源配線を適切に接続することができるという利点がある。
【００２５】
図４を参照し、枠側可撓性配線９８の構造について説明する。枠側可撓性配線９８は、上枠側可撓性配線１３７と下枠側可撓性配線１３８とに分割された構成である。上枠側可撓性配線１３７は、縦片部１３９と、縦片部１３９の上部から左側に直角に折り曲げられて延設された上横片部１４０と、縦片部１３９の下部から左側に直角に折り曲げられて延設した下横片部１４１とを備える。上横片部１４０と下横片部１４１とは、互いに分かれている。上横片部１４０には、補強板１４２と電源コネクタ１１２とパネル枠コネクタ２３とが設けられる。補強板１４２は、合成樹脂からなる板状であって、上横片部１４０を裏側から波打たないように支持するように、上横片部１４０の裏面に裏打ちするように取り付けられる。電源コネクタ１１２には、電源配線を接続するものである。電源コネクタ１１２のコネクタピンと呼ばれる電気接続端子が、補強板１４２を裏側から前側に貫通して上横片部１４０における上記箔形状の電線に接続される。電源コネクタ１１２の電気接続端子を支持する合成樹脂からなるコネクタボディが補強板１４２の裏面に接触して固定される。パネル枠コネクタ２３のコネクタピンと呼ばれる電気接続端子が、上横片部１４０の前側から上横片部１４０における上記箔形状の電線に接続される。パネル枠コネクタ２３の電気接続端子を支持する合成樹脂からなるコネクタボディが上横片部１４０の前面に接触して固定される。
【００２６】
下横片部１４１には、補強板１４３；１４４と枠側コネクタ２２と外部情報コネクタ１１４と払出コネクタ１１３と連結コネクタ１４５とが設けられる。補強板１４３は、外部情報コネクタ１１４と払出コネクタ１１３とにわたる大きさの合成樹脂からなる板状であって、下横片部１４１を裏側から波打たないように支持するように、下横片部１４１の裏面に裏打ちするように取り付けられる。外部情報コネクタ１１４および払出コネクタ１１３のコネクタピンと呼ばれる電気接続端子が、補強板１４３を裏側から前側に貫通して下横片部１４１における上記箔形状の電線に接続される。外部情報コネクタ１１４および払出コネクタ１１３の電気接続端子を支持する合成樹脂からなるコネクタボディが、補強板１４３の裏面に接触して固定される。
【００２７】
補強板１４４は枠側コネクタ２２と連結コネクタ１４５とにわたる大きさの合成樹脂からなる板状であって、下横片部１４１を前側から波打たないように支持するように、下横片部１４１の前面に裏打ちするように取り付けられる。枠側コネクタ２２のコネクタピンと呼ばれる電気接続端子が、補強板１４４を前側から裏側に貫通して下横片部１４１における上記箔形状の電線に接続される。枠側コネクタ２２の電気接続端子を支持する合成樹脂からなるコネクタボディが、補強板１４４の前面に接触して固定される。連結コネクタ１４５は下枠側可撓性配線１３８を接続するものである。連結コネクタ１４５のコネクタピンと呼ばれる電気接続端子が、下横片部１４１の裏側から下横片部１４１における上記箔形状の電線に接続される。連結コネクタ１４５の電気接続端子を支持する合成樹脂からなるコネクタボディが、下横片部１４１の裏面に接触して固定される。補強板１４２；１４３；１４４には、上枠側可撓性配線１３７を図３の盤収納構造体９の裏面に取り付けるためのタッピングスクリューのような図外の止ねじのねじ部を挿入する取付孔１４６が設けられる。当該止ねじのねじ部と接触しないように止ねじのねじ部を逃げるための逃部１４７が、上枠側可撓性配線１３７に、取付孔１４６を囲む切除部として設けられる。
【００２８】
下枠側可撓性配線１３８は、横片部１４９と延設片部１５０；１５１；１５２；１５３；１５４；１５５；１５６；１５７；１５８とを備える。延設片部１５０は、横片部１４９の上側の左部から上側に延設される。延設片部１５１は、延設片部１５０の上部から後側に直角に折り曲げられて延設される。延設片部１５２は、延設片部１５１の上部から上側に直角に折り曲げられて延設される。延設片部１５３は、延設片部１５２の左部から前側に直角に折り曲げられて延設される。延設片部１５４は、横片部１４９の右部から裏側に直角に折り曲げられて延設される。延設片部１５５は、延設片部１５４の後部から右側に直角に折り曲げられて延設される。延設片部１５６は、延設片部１５５の右部から前側に直角に折り曲げられて延設される。延設片部１５７は、横片部１４９の下側の左部から前側に直角に折り曲げられて延設される。延設片部１５８は、延設片部１５７の前部から左側に直角に折り曲げられて延設される。延設片部１５４と延設片部１５６とは、互いに左右方向に相対峙する。
【００２９】
延設片部１５２には、補強板１５９と連結コネクタ１６０とが設けられる。補強板１５９は、合成樹脂からなる板状であって、延設片部１５２を裏側から波打たないように支持するように、延設片部１５２の裏面に裏打ちするように取り付けられる。連結コネクタ１６０は、上枠側可撓性配線１３７の連結コネクタ１４５を接続するものである。連結コネクタ１６０のコネクタピンと呼ばれる電気接続端子が、延設片部１５２の前側から延設片部１５２における上記箔形状の電線に接続される。連結コネクタ１６０の電気接続端子を支持する合成樹脂からなるコネクタボディが、延設片部１５２の前面に接触して固定される。延設片部１５４には、補強板１６１と制御用コネクタ１６２とが設けられる。補強板１６１は、合成樹脂からなる板状であって、延設片部１５４を裏側から波打たないように支持するように、延設片部１５４の裏面に裏打ちするように取り付けられる。制御用コネクタ１６２は、図３の発射払出制御装置９６を接続するものである。制御用コネクタ１６２のコネクタピンと呼ばれる電気接続端子が、補強板１６１を裏側から延設片部１５６と向かい合う側に貫通して延設片部１５４における上記箔形状の電線に接続される。制御用コネクタ１６２の電気接続端子を支持する合成樹脂からなるコネクタボディが、補強板１６１の裏面に接触して固定される。
【００３０】
延設片部１５６には、補強板１６３と電源用コネクタ１６４とが設けられる。補強板１６３は、合成樹脂からなる板状であって、延設片部１５６を延設片部１５４と向かい合う側から波打たないように支持するように、延設片部１５６の右側面（延設片部１５４と向かい合う側の面の反対側に位置する面）に裏打ちするように取り付けられる。電源用コネクタ１６４は、図３の電源装置９５を接続するものである。電源用コネクタ１６４のコネクタピンと呼ばれる電気接続端子が、補強板１６３を右側から延設片部１５４と向かい合う側に貫通して延設片部１５６における上記箔形状の電線に接続される。電源用コネクタ１６４の電気接続端子を支持する合成樹脂からなるコネクタボディが、補強板１６３の右側面に接触して固定される。
延設片部１５８には、皿コネクタ２８と補強板１６５とが設けられる。補強板１６５は、合成樹脂からなる板状であって、延設片部１５８を前側から波打たないように支持するように、延設片部１５８の前面に裏打ちするように取り付けられる。皿コネクタ２８のコネクタピンと呼ばれる電気接続端子が、補強板１６５の前側から裏側に貫通して延設片部１５８における上記箔形状の電線に接続される。皿コネクタ２８の電気接続端子を支持する合成樹脂からなるコネクタボディが、補強板１６５の前面に接触して固定される。補強板１５９；１６１；１６３；１６５には、取付孔１６６が設けられる。取付孔１６６は、下枠側可撓性配線１３８を図３の盤収納構造体９の裏面に取り付けるためのタッピングスクリューのような図外の止ねじのねじ部を挿入する部分である。当該止ねじのねじ部と接触しないように止ねじのねじ部を逃げるための逃部１６７が、下枠側可撓性配線１３８に、取付孔１６６を囲む切除部として設けられる。
【００３１】
図５および図７を参照し、上枠側可撓性配線１３７と下枠側可撓性配線１３８との取付方について説明する。図５において、上枠側可撓性配線１３７と下枠側可撓性配線１３８とが取り付けられる前の時点では、盤収納構造体９の裏面には、図３のカバー構造体１００および取付台１３２が少なくとも取り付けられていない。その状態において、上枠側可撓性配線１３７の枠側コネクタ２２およびパネル枠コネクタ２３が、盤収納構造体９の裏側から図外のコネクタ用孔に挿入され、図外の止ねじが上枠側可撓性配線１３７の裏側から図４の取付孔１４６を経由して盤収納構造体９に締結されることによって、上枠側可撓性配線１３７が盤収納構造体９の裏面に取り付けられる。このように上枠側可撓性配線１３７が盤収納構造体９に取り付けられることによって、払出コネクタ１１３と外部情報コネクタ１１４と電源コネクタ１１２および連結コネクタ１４５が盤収納構造体９の裏側に突出し、枠側コネクタ２２およびパネル枠コネクタ２３が盤収納構造体９の前側に突出する（図１参照）。
【００３２】
次に、下枠側可撓性配線１３８の連結コネクタ１６０が盤収納構造体９の側に向けられ、連結コネクタ１６０の電気接続端子が上枠側可撓性配線１３７の連結コネクタ１４５の裏側から連結コネクタ１４５の電気接続端子に嵌め込まれて接続される。そして、下枠側可撓性配線１３８の皿コネクタ２８が、盤収納構造体９の裏側から図外のコネクタ用孔に挿入され、図外の止ねじが下枠側可撓性配線１３８の裏側から図４の取付孔１６６を経由して盤収納構造体９に締結されることによって、下枠側可撓性配線１３８が盤収納構造体９の裏面に取り付けられる。このように下枠側可撓性配線１３８が盤収納構造体９に取り付けられることによって、皿コネクタ２８が盤収納構造体９の前側に突出する（図１参照）。
【００３３】
その後、取付台１３２と図３の電源装置９５を取り付けるための取付台１６８とが、盤収納構造体９における前壁２７の裏面に取り付けられる。例えば、タッピングスクリューのような図外の止ねじが取付台１３２や取付台１６８の裏側から取付台１３２や取付台１６８に設けられた図外のねじ挿入孔を経由して前壁２７に締結されることによって、取付台１３２や取付台１６８が前壁２７の裏面に個別に取り付けられる。取付台１３２が取り付けられる場合、下枠側可撓性配線１３８の横片部１４９が取付台１３２で覆われ、下枠側可撓性配線１３８の延設片部１５４；１５５；１５６と制御用コネクタ１６２および電源用コネクタ１６４が前側から取付台１３２に設けられた配線孔１６９を経由して取付台１３２の裏側に引き出される。そして、図外の止ねじが補強板１６１の左側から図４の取付孔１６６を経由して取付台１３２の右側壁の左側面に締結されることによって、制御用コネクタ１６２が取付台１３２の右側壁に取り付けられる。また、図外の止ねじが補強板１６３の右側から図４の取付孔１６６を経由して取付台１６８の左側壁に締結されることによって、電源用コネクタ１６４が取付台１６８の左側壁の右側面に取り付けられる。
【００３４】
前記のように上枠側可撓性配線１３７と下枠側可撓性配線１３８とが盤収納構造体９の裏面に取り付けられた状態において、図７に示すように、電源装置９５が取付台１６８の右側から取付台１６８に係合されながら滑り込ませられることによって、電源装置９５に設けられた係合部１７１が取付台１６８に設けられた係合部１７２に前後方向に抜けないように係合し、電源装置９５のコネクタ１７３の電気接続端子が電源用コネクタ１６４の電気接続端子に嵌め込まれて接続され、電源装置９５が取付台１６８に装着される。また、発射払出制御装置９６が取付台１３２の左側から取付台１３２に係合されながら滑り込ませられることによって、発射払出制御装置９６に設けられた係合部１７５が取付台１３２に設けられた係合部１７６に前後方向に抜けないように係合し、発射払出制御装置９６のコネクタ１７７の電気接続端子が制御用コネクタ１６２の電気接続端子に嵌め込まれて接続され、発射払出制御装置９６が取付台１３２に装着される。
【００３５】
図８を参照し、球払出中継基板１１０に実装されたコネクタ１８１乃至１８８に対する配線の接続について説明する。球払出中継基板１１０はプリント配線板のような回路基板により形成される。球払出中継基板１１０に実装されたコネクタ１８１乃至１８７のコネクタピンのような電気接続端子が、コネクタ１８８のコネクタピンのような電気接続端子に、球払出中継基板１１０に付設されたプリント配線のような箔状配線で、個別に接続される。コネクタ１８１には、払出モータ１９０の配線１９１に結線されたコネクタ１９２が嵌め込まれたことによって、払出モータ１９０が接続される。コネクタ１８２には、払出球検出器１９３の配線１９４に結線されたコネクタ１９５が嵌め込まれたことによって、払出球検出器１９３が接続される。コネクタ１８３には、満タン検出器１９６の配線１９７に結線されたコネクタ１９８が嵌め込まれたことによって、満タン検出器１９６が接続される。コネクタ１８４には、球切れ検出器１９９の配線２００に結線されたコネクタ２０１が嵌め込まれたことによって、球切れ検出器１９９が接続される。コネクタ１８５には、流路切替ソレノイド２０２の配線２０３に結線されたコネクタ２０４が嵌め込まれたことによって、流路切替ソレノイド２０２が接続される。コネクタ１８６には、一斉球抜スイッチ１６の配線２０５に結線されたコネクタ２０６が嵌め込まれたことによって、一斉球抜スイッチ１６が接続される。コネクタ１８７には、扉開放スイッチ１５の配線２０７に結線されたコネクタ２０８が嵌め込まれたことによって、扉開放スイッチ１５が接続される。コネクタ１８８には、ハーネス１１５に結線されたコネクタ２０９が嵌め込まれることによって、ハーネス１１５が接続される。
【００３６】
最良の形態によれば、図１に示すように、盤側ヒンジ４７と球案内構造体４８および盤側可撓性配線５８が遊技盤４５の裏面に取り付けられ、盤側可撓性配線５８が遊技盤４５の裏側から図柄表示器５１、演出部品５３、図柄制御装置５５、主制御装置５６、複合制御装置５７、始動入賞部品および可変入賞部品５４のそれぞれに接続され、図３に示すように、電源装置９５、発射払出制御装置９６、球払出装置９７、枠側可撓性配線９８のそれぞれが可動枠３の裏面に取り付けられ、ハーネス１１５が球払出中継基板１１０と払出コネクタ１１３とに接続されて配線通路９９に収納され、図１に示すように、可動枠３が固定枠２に取り付けられ、パネル枠５が少なくとも前側に開けられた状態において、遊技盤４５が可動枠３の盤収納室１８に装着されることによって、パチンコ機が構成される。この構成されたパチンコ機を裏側から見ると、図９に示す形態となる。つまり、図１に示す遊技盤４５が図１に示す遊技機枠１の盤収納室１８に装着されることによって、盤側可撓性配線５８の電極５９が背壁１９の前面に突出した枠側コネクタ２２に接続され、遊技盤４５に搭載された電気部品と遊技機枠１に搭載された電気部品とが、盤側可撓性配線５８と枠側コネクタ２２を実装した図３に示す可動枠３の枠側可撓性配線９８とで接続されるので、図９に示すようにパチンコ機を裏側から見た場合、個々ばらばらの多数本の配線が入り乱れていることなく、整然とした配置となるという利点がある。また、ハーネス１１５が可動枠３の上縁部に形成された配線通路９９に収納されているので、可動枠３が固定枠２の前側で開閉される場合、ハーネス１１５が固定枠２と可動枠３との間に挟まることがないという利点がある。図９において、電源配線２１０は、電源コネクタ１１２に接続されてカバー構造体１００前側から配線孔１２８を経由してカバー構造体１００の裏側に引き出される。プラグ２１１は、電源配線２１０のカバー構造体１００から裏側に引き出された端部に結線される。プラグ２１１は遊技機設置構造体に設けられた島電源の交流２４ボルトの出力端に接続される。よって、電源装置９５は、交流２４ボルトとパチンコ機で使用する複数の電圧を有する直流電源に変換して出力する機能と、交流２４ボルトを出力する機能とを併有する。構造は複雑になるが、配線通路９９に収納されたハーネス１１５が配線通路９９の上部開口から上方に突出しないように、ハーネス１１５を配線通路９９に配線止具で押さえたり、配線カバーで配線通路９９の上部開口を塞ぐように配線カバーを可動枠３に取付けたりしてもよい。
【産業上の利用可能性】
【００３７】
遊技機枠１と遊技盤４５とが枠側ヒンジ２１と盤側ヒンジ４７とからなるヒンジで回転可能に取り付けられていない構造であってもよい。枠側コネクタ２２が遊技盤４５に設置され、電極５９が遊技機枠１に設置された構造であってもよい。盤側可撓性配線５８が遊技盤４５の裏面に球案内構造体４８を介することなく直接的に取り付けられてもよい。発射払出制御装置９６は、１つの制御装置筐体の内部に、発射制御に必要な電気部品の実装された回路基板と、払出制御に必要な電気部品の実装された回路基板とが互いに分離された形態で装着された構造であっても、発射制御に必要な電気部品の実装された回路基板を１つの制御装置筐体の内部に装着し、払出制御に必要な電気部品の実装された回路基板を別の１つの制御装置筐体の内部に装着した構造であってもよい。この別々の制御装置筐体とした場合、発射制御に必要な電気部品の実装された回路基板を有する制御装置筐体の方は、発射制御装置となり、払出制御に必要な電気部品の実装された回路基板を有する制御装置筐体の方は、払出制御装置となる。主制御装置５６に置換して複合制御装置５７またはそれ以外の遊技盤４５の裏面に設ける部品を取り付けてもよい。可動枠本体８と盤収納構造体９とが別々の材料から構成されたものを結合するか、または、可動枠本体８と盤収納構造体９とが合成樹脂により単一構造体として形成してもよい。また、前述の説明で、盤収納構造体９に取り付けたものは、可動枠３に取り付けたものと認識できることは明らかであろう。
【図面の簡単な説明】
【００３８】
【図１】遊技機枠と遊技盤とを示す分解斜視図（最良の形態）。
【図２】盤側可撓性配線を示す斜視図（最良の形態）。
【図３】可動枠とカバー構造体とを示す分解斜視図（最良の形態）。
【図４】盤側可撓性配線を示す斜視図（最良の形態）。
【図５】盤側可撓性配線を有する可動枠の裏面を示す斜視図（最良の形態）。
【図６】カバー構造体を有する可動枠の裏面を示す斜視図（最良の形態）。
【図７】電源装置と発射払出制御装置と枠側可撓性配線との接続を示す模式図（最良の形態）。
【図８】球払出中継基板の接続を示す模式図（最良の形態）。
【図９】パチンコ機を示す裏面図（最良の形態）。
【符号の説明】
【００３９】
１      遊技機枠
３      可動枠
１８    盤収納室
１９    背壁
２２    枠側コネクタ
４５    遊技盤
５８    盤側可撓性配線
５９    電極
９８    枠側可撓性配線
９９    配線通路
１１０  球払出中継基板
１１５  ハーネス
【図１】
2006149809.tif 000003
【図２】
2006149809.tif 000004
【図３】
2006149809.tif 000005
【図４】
2006149809.tif 000006
【図５】
2006149809.tif 000007
【図６】
2006149809.tif 000008
【図７】
2006149809.tif 000009
【図８】
2006149809.tif 000010
【図９】
2006149809.tif 000011